(57)【要約】【課題】撮像範囲の回動操作を実施しやすくすることができる撮像装置を提供すること。【解決手段】撮像範囲内を撮像する撮像素子４１１と、撮像素子４１１の光学軸ＡＸに沿う回動軸を中心として撮像素子４１１を回動自在に支持する支持部材（保持部３２２）と、撮像素子４１１とともに回動自在に支持部材に支持され、撮像素子４１１を回動させて当該撮像素子４１１の撮像範囲を回動させる回動部材（カメラベゼル４３）と、を備え、回動部材は、回動軸に対して支持部材の外側に位置し、当該回動部材を回動させる操作部（延出部４３２）を有する。【選択図】図６
2014187644.tif 000002
【特許請求の範囲】
【請求項１】
撮像範囲内を撮像する撮像素子と、
前記撮像素子の光学軸に沿う回動軸を中心として前記撮像素子を回動自在に支持する支持部材と、
前記撮像素子とともに回動自在に前記支持部材に支持され、前記撮像素子を回動させて当該撮像素子の撮像範囲を回動させる回動部材と、を備え、
前記回動部材は、前記回動軸に対して前記支持部材の外側に位置し、当該回動部材を回動させる操作部を有する
ことを特徴とする撮像装置。
【請求項２】
請求項１に記載の撮像装置において、
前記支持部材に設けられ、前記撮像範囲を照明する照明手段を備え、
前記回動部材は、前記照明手段と重なる位置に、当該照明手段の照明光が透過する透過部を有する
ことを特徴とする撮像装置。
【請求項３】
請求項２に記載の撮像装置において、
前記透過部には、前記撮像範囲内の照度を調整する調整手段が設けられている
ことを特徴とする撮像装置。
【請求項４】
請求項３に記載の撮像装置において、
前記照明手段は、前記撮像素子を挟んで一対設けられ、
前記調整手段は、前記回動部材の回動状態に応じて前記照明光の出射方向を調整する
ことを特徴とする撮像装置。
【請求項５】
請求項４に記載の撮像装置において、
前記支持部材は、第１位置と、前記第１位置から前記回動部材を略９０°回動させた位置である第２位置とに回動可能に前記回動部材を支持し、
前記調整手段は、
前記回動部材が前記第１位置に位置する場合に、前記照明手段の照明光が入射される位置に配置され、当該照明光を第１方向に出射する第１調整手段と、
前記回動部材が前記第２位置に位置する場合に、前記照明手段の照明光が入射される位置に配置され、当該照明光を前記第１方向とは異なる第２方向に出射する第２調整手段と、を有する
ことを特徴とする撮像装置。
【請求項６】
請求項５に記載の撮像装置において、
前記回動部材は、前記回動軸に沿って見た場合に、当該回動軸を中心として放射状に延出する４つの延出部を有する略十字状に形成され、
前記４つの延出部のうち、互いに反対方向に延出する第１延出部及び第２延出部と、前記第１延出部及び前記第２延出部の延出方向に略直交する方向に延出する第３延出部及び第４延出部との一方には、前記第１調整手段が設けられ、他方には、前記第２調整手段が設けられ、
前記操作部は、前記４つの延出部のうちのいずれかである
ことを特徴とする撮像装置。
【請求項７】
請求項３から請求項６のいずれかに記載の撮像装置において、
前記調整手段は、入射される前記照明光の中心軸に直交する面内に複数の小レンズが配列されたマルチレンズを有し、
前記複数の小レンズのうち少なくともいずれかは、偏心レンズである
ことを特徴とする撮像装置。
【請求項８】
請求項１から請求項７のいずれかに記載の撮像装置において、
前記撮像素子は、長方形状の前記撮像範囲を有し、
前記支持部材は、第１位置と、前記第１位置から９０°回動させた位置である第２位置とに前記回動軸を中心として回動可能に前記撮像手段を支持し、
前記操作部は、当該操作部の位置に応じた前記撮像範囲の向きを示す表示を有する
ことを特徴とする撮像装置。
【発明の詳細な説明】
【技術分野】
【０００１】
本発明は、撮像装置に関する。
【背景技術】
【０００２】
従来、プロジェクターやＰＣ（Personal Computer）等の外部機器に撮像画像を送信する撮像装置としての書画カメラが知られている（例えば、特許文献１参照）。
この特許文献１に記載の書画カメラは、本体部と、当該本体部に取り付けられたアーム部とを有し、当該アーム部は、第１アーム部及び第２アーム部を有する。これらのうち、第２アーム部は、一端側にて本体部に屈曲及び回動自在に支持されており、他端側に第１アーム部が取り付けられている。この第１アームは、第２アームの中心軸に対して屈曲自在に設けられている他、当該中心軸を中心として回動自在に支持されている。
このような第１アーム部の先端部には、カメラが設けられている。このカメラは、撮像素子及びレンズを備え、当該カメラの光学軸回りに回動可能に支持されている。このカメラを回動させることで、矩形状の撮像範囲の向き（横長状態及び縦長状態）を変更できる。このようなカメラによる撮像画像は、端子に接続された上記外部機器に送信される。
【先行技術文献】
【特許文献】
【０００３】
【特許文献１】特開２０１０−１７１７６１号公報
【発明の概要】
【発明が解決しようとする課題】
【０００４】
ところで、書画カメラを用いてプレゼンテーションを実施する場合、使用者は、資料の配置状態に応じて、上記カメラの撮像範囲内に資料が収まるように当該カメラを回動させる。しかしながら、当該資料が机上の書類である場合、カメラの撮像方向は下向きとなることから、使用者は、当該カメラを回動させる操作部（ベゼル）が見えづらく、当該操作部の操作がしづらいという問題がある。
【０００５】
本発明は、撮像範囲の回動操作を実施しやすくすることができる撮像装置を提供することを目的の１つとする。
【課題を解決するための手段】
【０００６】
本発明の一態様に係る撮像装置は、撮像範囲内を撮像する撮像素子と、前記撮像素子の光学軸に沿う回動軸を中心として前記撮像素子を回動自在に支持する支持部材と、前記撮像素子とともに回動自在に前記支持部材に支持され、前記撮像素子を回動させて当該撮像素子の撮像範囲を回動させる回動部材と、を備え、前記回動部材は、前記回動軸に対して前記支持部材の外側に位置し、当該回動部材を回動させる操作部を有することを特徴とする。
【０００７】
なお、撮像素子の光学軸とは、当該撮像素子による撮像範囲の中心軸を指し、当該撮像素子に光を導くレンズ等の光学系が設けられている場合には、当該光学系の光学軸を指す。
上記一態様によれば、回動部材を回動させる操作を受け付ける操作部が、撮像素子の回動軸に対して支持部材の外側に位置することにより、当該操作部をつまむ等して、回動部材を回動させやすくすることができる。従って、撮像素子の回動操作、すなわち、当該撮像素子による撮像範囲の回動操作を実施しやすくすることができる。
【０００８】
上記一態様では、前記支持部材に設けられ、前記撮像範囲を照明する照明手段を備え、前記回動部材は、前記照明手段と重なる位置に、当該照明手段の照明光が透過する透過部を有することが好ましい。
ここで、照明手段が支持部材において撮像素子が露出する面に設けられている場合、回動部材が回動されると、操作部により照明手段から出射された照明光が遮光されてしまう可能性がある。
これに対し、上記一態様によれば、回動部材において照明手段と重なる位置に、当該照明手段の照明光が透過する透過部が設けられていることにより、当該照明光が遮光されることを防止できる。従って、撮像範囲を適切に照明できる。
【０００９】
上記一態様では、前記透過部には、前記撮像範囲内の照度を調整する調整手段が設けられていることが好ましい。
なお、調整手段としては、入射される光の中心軸に直交する面内に複数の小レンズが配列されたマルチレンズや、入射される光を拡散させて出射する光拡散素子を例示できる。
上記一態様によれば、透過部に設けられた調整手段により、撮像範囲内の照度を調整できるので、例えば、当該撮像範囲内の所定位置を中心として照明したり、或いは、当該撮像範囲内の照度を均一化したりすることができる。従って、撮像範囲内を適切に照明できる。
【００１０】
上記一態様では、前記照明手段は、前記撮像素子を挟んで一対設けられ、前記調整手段は、前記回動部材の回動状態に応じて前記照明光の出射方向を調整することが好ましい。
ここで、一方向からの光により被写体が照明される場合には、撮像画像における照明光の照射位置にスポット（局所的に輝度が高い部位）が観察されやすくなる。これに対し、一対の照明手段により２つの方向から被写体が照明されるので、当該スポットが観察されることを抑制できるとともに、被写体を照明する照明光の輝度を高くすることができる。
また、調整手段は、回動部材の回動状態に応じて照明光の出射方向を調整する。これによれば、例えば、回動部材が回動されて撮像素子による撮像範囲の向き（例えば、所定位置から見た場合の撮像範囲の縦横の向き）が変更された場合に、調整手段により、当該撮像範囲の向きに適した方向及び位置に照明光を出射できる。このため、例えば、回動部材が回動されて、撮像範囲が横長となったり縦長となったりする場合でも、当該撮像範囲における長手方向の両端近傍の位置に照射されるように照明光の出射方向を調整できる。従って、撮像範囲を略均一に照明できる。
【００１１】
上記一態様では、前記支持部材は、第１位置と、前記第１位置から前記回動部材を略９０°回動させた位置である第２位置とに回動可能に前記回動部材を支持し、前記調整手段は、前記回動部材が前記第１位置に位置する場合に、前記照明手段の照明光が入射される位置に配置され、当該照明光を第１方向に出射する第１調整手段と、前記回動部材が前記第２位置に位置する場合に、前記照明手段の照明光が入射される位置に配置され、当該照明光を前記第１方向とは異なる第２方向に出射する第２調整手段と、を有することが好ましい。
【００１２】
上記一態様によれば、回動部材が上記第１位置に位置する場合には、照明光が入射される位置に第１調整手段が配置され、上記第２位置に位置する場合には、照明光が入射される位置に第２調整手段が配置される。そして、第１調整手段は、入射された照明光を第１方向に出射し、第２調整手段は、当該第１方向とは異なる第２方向に出射して、撮像範囲内を照明する。
これによれば、例えば、第１位置及び第２位置の一方で、所定位置から見て撮像範囲が横長となる場合には、第１方向を当該撮像範囲の長手方向両端近傍の位置に向かう方向とすることで、当該撮像範囲内を略均一に照明できる。また、第１位置及び第２位置の他方で、当該所定位置から見て撮像範囲が縦長となる場合には、第２方向を当該撮像範囲の長手方向両端近傍の位置に向かう方向とすることで、当該撮像範囲内を略均一に照明できる。従って、回動部材の回動状態、すなわち、撮像範囲の向きに応じて、当該撮像範囲内を良好に照明できる。
【００１３】
上記一態様では、前記回動部材は、前記回動軸に沿って見た場合に、当該回動軸を中心として放射状に延出する４つの延出部を有する略十字状に形成され、前記４つの延出部のうち、互いに反対方向に延出する第１延出部及び第２延出部と、前記第１延出部及び前記第２延出部の延出方向に略直交する方向に延出する第３延出部及び第４延出部との一方には、前記第１調整手段が設けられ、他方には、前記第２調整手段が設けられ、前記操作部は、前記４つの延出部のうちのいずれかであることが好ましい。
【００１４】
上記一態様によれば、回動部材が４つの延出部を有する略十字状に形成されている。これによれば、回動部材が第１位置に配置されている場合には、第１調整手段が設けられた２つの延出部を照明光が入射される位置に配置でき、第２位置に配置されている場合には、第２調整手段が設けられた２つの延出部を照明光が入射される位置に配置できる。これによれば、回動部材の回動位置、すなわち、撮像範囲の向きに応じて、第１調整手段及び第２調整手段のうち適切な調整手段を、照明光が入射される位置に確実に配置できる。従って、撮像範囲の向きに応じた照明を確実に実施できる。
また、操作部は、上記４つの延出部のうちのいずれかであるので、回動部材に操作部を延出部とは別に設ける必要がない。従って、回動部材の構成が複雑化したり、重量が増加したりすることを抑制できる。
【００１５】
上記一態様では、前記調整手段は、入射される前記照明光の中心軸に直交する面内に複数の小レンズが配列されたマルチレンズを有し、前記複数の小レンズのうち少なくともいずれかは、偏心レンズであることが好ましい。
上記一態様によれば、調整手段が、複数の小レンズが配列されたマルチレンズを有するので、入射される照明光を拡散させることができる。従って、撮像範囲内の照度を調整しやすくすることができ、照明光の反射光量が局所的に高くなるスポットが撮像範囲内に生じることを抑制できる。
また、当該複数の小レンズのうち少なくともいずれかは偏心レンズであるので、マルチレンズから出射される照明光の出射方向を確実に調整できる。従って、適切な方向に照明光を出射できるので、撮像範囲内の照度を一層適切に調整できる。
【００１６】
上記一態様では、前記撮像素子は、長方形状の前記撮像範囲を有し、前記支持部材は、第１位置と、前記第１位置から９０°回動させた位置である第２位置とに前記回動軸を中心として回動可能に前記撮像手段を支持し、前記操作部は、当該操作部の位置に応じた前記撮像範囲の向きを示す表示を有することが好ましい。
なお、撮像範囲の向きとは、例えば撮像範囲が矩形状である場合には、長手方向又は短手方向の方向を示す。また、上記表示が設けられる箇所としては、操作部において支持部材から外側に露出し、かつ、当該支持部材側を向く面を例示できる。
上記一態様によれば、当該表示を確認することで、回動部材を覗き込むことなく、撮像範囲の向きを容易に把握できる。従って、撮像範囲の向きの変更操作を適切かつ容易に実施できる。
【図面の簡単な説明】
【００１７】
【図１】本発明の第１実施形態に係る書画カメラを示す斜視図。
【図２】前記第１実施形態における書画カメラを示す斜視図。
【図３】前記第１実施形態における下部ケースを下方から見た斜視図。
【図４】前記第１実施形態における下部ケースを上方から見た斜視図。
【図５】前記第１実施形態における下部ケース及び撮像手段を示す縦断面図。
【図６】前記第１実施形態におけるカメラベゼルを示す図。
【図７】前記第１実施形態における保持部を上部ケース側から見た平面図。
【図８】前記第１実施形態における保持部を上部ケース側から見た平面図。
【図９】本発明の第２実施形態に係る書画カメラのカメラベゼルを示す図。
【図１０】本発明の第３実施形態に係る書画カメラのカメラベゼルを示す図。
【発明を実施するための形態】
【００１８】
［第１実施形態］
以下、本発明の第１実施形態について、図面に基づいて説明する。
［書画カメラの構成］
図１及び図２は、本実施形態に係る書画カメラ１を示す斜視図である。詳述すると、図１は、使用状態での書画カメラ１を示す斜視図であり、図２は、収納状態での書画カメラ１を示す斜視図である。
本実施形態に係る書画カメラ１は、プロジェクターやＰＣ等の外部機器に撮像画像を送信する撮像装置である。この書画カメラ１は、図１及び図２に示すように、本体部２と、当該本体部２に設けられた支持部３と、当該支持部３に設けられた撮像手段４及び照明手段５と、を備える。また、図示を省略するが、書画カメラ１は、書画カメラ１を制御する制御手段、及び、外部機器との間で情報を送受信する送受信手段を備える。
【００１９】
［本体部の構成］
本体部２は、合成樹脂により形成された略直方体形状の筐体２１を備え、当該筐体２１内には、上記制御手段及び送受信手段が設けられている。
筐体２１には、上方に向かって開口する凹部２１１が形成されている。
また、筐体２１の上面２１２には、複数のキー２２１が配設された操作手段２２が設けられている。この操作手段２２は、押下されたキー２２１に応じた操作信号（キー２２１に割り振られた機能を実行させる操作信号）を制御手段に出力する。このようなキー２２１として、スタンバイキー、ズームキー（ズームインキー及びズームアウトキー）、録画開始／停止キー、静止画キャプチャキー、明るさ調整キー及びオートフォーカス実行キーが挙げられる。
更に、筐体２１における凹部２１１側とは反対側の側面２１３には、外部機器とケーブルを介して接続される端子２１３１が設けられている。
【００２０】
［支持部の構成］
支持部３は、本体部２に立設されて、撮像手段４及び照明手段５を支持する。このような支持部３は、凹部２１１内に一端が屈曲及び回動自在に取り付けられた第１アーム３１と、当該第１アーム３１の他端に屈曲及び回動自在に取り付けられた第２アーム３２とを有する。なお、これらアーム３１，３２内には、第２アーム３２に設けられた撮像手段４及び照明手段５と、本体部２内の制御手段とを接続するケーブル（図示省略）が設けられている。
【００２１】
第１アーム３１は、第１軸状部３１１及び第２軸状部３１２を備える。
第１軸状部３１１は、凹部２１１内における長手方向の一方の端部に、当該凹部２１１に対して傾倒自在で、かつ、第１アーム３１の中心軸を中心として回動自在に支持されている。第２軸状部３１２は、第１軸状部３１１の中心軸に沿って突没自在に当該第１軸状部３１１の内側に設けられている。これら各軸状部３１１，３１２により、第１アーム３１は、伸縮自在に構成されている。
【００２２】
第２アーム３２は、回動部３２１と、撮像手段４及び照明手段５を保持する保持部３２２とを有する。
回動部３２１は、第２軸状部３１２の先端部（筐体２１側とは反対側の端部）に取り付けられている。この回動部３２１は、第２軸状部３１２の中心軸を中心として回動自在で、かつ、当該中心軸に対する直交方向に屈曲自在に取り付けられている。
保持部３２２は、回動部３２１における第２軸状部３１２側とは反対側に、第２アーム３２の中心軸を中心として回動自在に支持される。具体的に、保持部３２２は、回動部３２１に対して、当該保持部３２２の下面となる下部ケース３２３の下面３２３０が下方を向く状態（回動部３２１に対して保持部３２２が回動していない状態）から一方及び他方にそれぞれ９０°回動自在に支持されている。そして、保持部３２２は、下面３２３０が下方を向く状態で、撮像方向及び照明方向が下方を向くように撮像手段４及び照明手段５を支持している。すなわち、保持部３２２は、本発明の支持部材に相当する。
【００２３】
このような書画カメラ１を使用する場合には、図１に示すように、本体部２の筐体２１から第１アーム３１を起立させ、当該第１アーム３１の中心軸を中心として第２アーム３２を回動させる。なお、必要に応じて、第２軸状部３１２を第１軸状部３１１から突出させて、第１アーム３１を伸長させたり、或いは、第２アーム３２における保持部３２２を回動させたりすることで、撮像手段４及び照明手段５の位置、並びに、撮像手段４による撮像方向及び照明手段５による照明方向が調整される。
一方、書画カメラ１を使用しない場合には、図２に示すように、第２軸状部３１２を第１軸状部３１１に没入させた状態で、第１アーム３１を凹部２１１内に傾倒させ、更に、第２アーム３２を第１アーム３１に沿わせるように屈曲させる。これにより、当該凹部２１１内に支持部３が折り畳まれて収納される。この際、書画カメラ１は、全体略直方体形状となる。
【００２４】
図３は、保持部３２２を構成する下部ケース３２３を下方から見た斜視図である。
上記保持部３２２は、図１及び図２に示すように、撮像手段４及び照明手段５が取り付けられる下部ケース３２３と、当該撮像手段４による撮像方向が下方を向く場合に上方にて下部ケース３２３に取り付けられる上部ケース３２４とを有する。
これらのうち、下部ケース３２３は、図３に示すように、下方から見て略長方形状に形成されており、当該下部ケース３２３は、軸支部３２３１、開口部３２３２、撮像手段配置部３２３３及び照明手段取付部３２３６を備える。
【００２５】
軸支部３２３１は、下部ケース３２３における回動部３２１側の端部に半円筒状に形成されている。この軸支部３２３１は、上部ケース３２４において当該軸支部３２３１と同様の構成を有する軸支部（図示省略）と組み合わされて円筒状となる。そして、これら軸支部は、回動部３２１に取り付けられることで、保持部３２２が回動部３２１に対して軸支される。
開口部３２３２は、下部ケース３２３において軸支部３２３１とは反対側に略円形状に形成されている。この開口部３２３２には、撮像手段４の後述する摺動部材４２が嵌め込まれる。
【００２６】
図４は、下部ケース３２３を上方（上部ケース３２４側）から見た斜視図である。
撮像手段配置部３２３３は、撮像手段４が配置される部位であり、下部ケース３２３において開口部３２３２の周囲に位置する。この撮像手段配置部３２３３は、図４に示すように、回動規制部３２３４及び保護部３２３５を有する。
回動規制部３２３４は、開口部３２３２の端縁近傍の位置に、当該開口部３２３２の内径方向に沿って下部ケース３２３の内面３２３Ａから突出するように一対形成されている。具体的に、各回動規制部３２３４は、開口部３２３２を挟んで互いに対向配置されている。このような回動規制部３２３４には、後述する摺動部材４２の当接部４２１（図５参照）が当接し、これにより、撮像手段４の回動範囲が規定される。
保護部３２３５は、内面３２３Ａにおいて開口部３２３２の端縁から所定寸法離れた位置に当該開口部３２３２に沿って円弧状に立設された一対のリブである。これら保護部３２３５は、照明手段取付部３２３６に取り付けられる照明手段５と、当該２つの保護部３２３５間に設けられた撮像素子４１１とを区画し、当該照明手段５にて生じる熱が撮像素子４１１に伝わりづらくする機能を有する。このような保護部３２３５は、保持部３２２の中心軸ＣＡ上の位置には形成されていない。
【００２７】
照明手段取付部３２３６は、図３及び図４に示すように、開口部３２３２に応じた位置に設けられる撮像手段４を挟むように一対設けられている。具体的に、照明手段取付部３２３６は、保持部３２２の中心軸ＣＡに直交し、かつ、開口部３２３２の中心を通る方向に沿って撮像手段４を挟む位置に一対設けられている。これら照明手段取付部３２３６は、それぞれ、矩形状の開口部３２３７（図３）と、当該開口部３２３７を閉塞する光透過性の閉塞部材３２３８（図３及び図４）と、当該開口部３２３７を挟む一対の突起３２３９（図４）とを有する。そして、ＬＥＤ（Light Emitting Diode）等の照明手段５は、下部ケース３２３の内面における閉塞部材３２３８に対応する位置に配置された状態で一対の突起３２３９に取り付けられ、当該照明手段５からの照明光は、閉塞部材３２３８を介して外部に出射される。
【００２８】
［撮像手段の構成］
図５は、下部ケース３２３及び撮像手段４を示す縦断面図である。
撮像手段４は、前述のように、下部ケース３２３に設けられている。この撮像手段４は、図５に示すように、回路基板４１と、当該回路基板４１が取り付けられる摺動部材４２と、当該摺動部材４２に取り付けられるカメラベゼル４３と、を有する。
【００２９】
回路基板４１及び摺動部材４２は、保持部３２２の内部に収納される。
これらのうち、回路基板４１は、開口部３２３２内に収まる程度の寸法を有する略矩形状に形成され、当該回路基板４１の下面には、ＣＣＤ（Charge Coupled Device）やＣＭＯＳ（Complementary Metal Oxide Semiconductor）デバイス等の撮像素子４１１が実装されている。そして、回路基板４１は、当該撮像素子４１１による撮像画像を処理し、ケーブル（図示省略）を介して前述の制御手段に当該撮像画像を出力する。
【００３０】
摺動部材４２は、撮像素子４１１による撮像方向（下方）とは反対方向から見て、開口部３２３２の直径より大きな直径を有する略円形状に形成されている。この摺動部材４２は、当該開口部３２３２に応じた位置に、開口部３２３２の端縁に沿って回動自在に設けられる。この摺動部材４２には、上方から回路基板４１がねじＳＣ１により取り付けられ、下方からカメラベゼル４３がねじＳＣ２により取り付けられる。このような摺動部材４２には、前述の回動規制部３２３４に当接される当接部４２１が設けられている。
【００３１】
［カメラベゼルの構成］
カメラベゼル４３は、本発明の回動部材に相当する。このカメラベゼル４３は、上記撮像方向とは反対方向から見て、摺動部材４２の直径より大きな直径を有する円筒状部４３１を有する。
円筒状部４３１は、図５に示すように、開口部３２３２内に位置する摺動部材４２に上記ねじＳＣ２により取り付けられる。すなわち、開口部３２３２の端縁は、摺動部材４２とカメラベゼル４３とにより挟持され、これにより、撮像手段４が、当該撮像手段４の光学軸ＡＸ（撮像素子４１１による撮像範囲の中心軸）と一致する回動軸を中心として回動自在に下部ケース３２３（ひいては保持部３２２）に支持される。この円筒状部４３１における撮像素子４１１に応じた位置には、被写体の像を当該撮像素子４１１に結像させるレンズ４３１１が設けられている。
【００３２】
図６は、下部ケース３２３及び撮像手段４を上記撮像方向とは反対方向から見た図であり、換言すると、後述する第１位置に位置するカメラベゼル４３を示す図である。また、図７は、カメラベゼル４３が第１位置に位置する際の保持部３２２を上部ケース３２４側から見た平面図であり、図８は、第２位置に位置する際の保持部材３２２を上部ケース３２４側から見た平面図である。
カメラベゼル４３は、図６〜図８に示すように、上記円筒状部４３１の他に、当該円筒状部４３１の端縁から、光学軸ＡＸを中心として当該光学軸ＡＸに直交する方向に放射状に等間隔に延出する４つの延出部４３２〜４３５を有し、これら延出部４３２〜４３５により、全体略十字状に形成されている。換言すると、各延出部４３２〜４３５は、カメラベゼル４３が摺動部材４２に取り付けられた際に、下部ケース３２３の下面３２３０に沿って延出している。
【００３３】
これら延出部４３２〜４３５のうち、延出部４３２は、本発明の操作部として機能する部位であり、当該延出部４３２の先端部４３２Ａは、撮像手段４の回動軸と一致する光学軸ＡＸに対して保持部３２２の端縁（図６及び図７では端縁３２２Ｂであり、図８では端縁３２２Ｃ）より外側に突出している。すなわち、当該先端部４３２Ａは、当該光学軸ＡＸに沿ってカメラベゼル４３及び保持部３２２を見た場合に、保持部３２２の端縁より外側に位置及び露出している。この先端部４３２Ａをつまむ等して、上記光学軸ＡＸを中心としてカメラベゼル４３を回動させることができる。
【００３４】
ここで、撮像手段４を保持する保持部３２２は、光学軸ＡＸに沿って当該保持部３２２を見た場合に略矩形状に形成されている。すなわち、保持部３２２の外縁は、回動部３２１側（軸支部３２３１側）の端縁３２２Ａと、当該回動部３２１側とは反対側の端縁３２２Ｂと、これら端縁３２２Ａ，３２２Ｂ間を接続し、かつ、第２アーム３２の中心軸ＣＡに沿う２つの端縁３２２Ｃ，３２２Ｄとから形成される。
【００３５】
そして、先端部４３２Ａが端縁３２２Ｂより外側に突出する状態にあるカメラベゼル４３の位置（すなわち、図６及び図７に示す位置）を第１位置とする。
また、第１位置に位置する状態から光学軸ＡＸを中心としてＡ１方向にカメラベゼル４３を９０°回動させて、端縁３２２Ｃより外側に先端部４３２Ａが突出する状態にあるカメラベゼル４３の位置（すなわち、図８に示す位置）を、第２位置とする。
【００３６】
更に、図示を省略するが、第１位置に位置する状態から、光学軸ＡＸを中心としてＡ１方向とは反対方向であるＡ２方向にカメラベゼル４３を９０°回動させて、端縁３２２Ｄより外側に先端部４３２Ａが突出する状態にあるカメラベゼル４３の位置を、第３位置とする。
すなわち、カメラベゼル４３は、第１位置を中心としてＡ１方向に９０°、Ａ２方向に９０°回動可能である。なお、第２位置からＡ１方向への更なる回動、及び、第３位置からＡ２方向への更なる回動は、上記撮像手段配置部３２３３に設けられた回動規制部３２３４により規制される。
【００３７】
ここで、カメラベゼル４３が第１位置に位置する場合では、図６及び図７において点線で示すように、撮像素子４１１が有する長方形状の撮像面４１１Ａの短辺は、第２アーム３２の中心軸ＣＡに沿い、当該撮像面４１１Ａの長辺は、上記光学軸ＡＸに沿って保持部３２２を見た際の当該中心軸ＣＡに直交する方向に沿うこととなる。このため、撮像素子４１１による長方形状の撮像範囲Ｒは、図７において二点鎖線で示すように、端縁３２２Ｂ側から見て、撮像面４１１Ａの向きと同様に横長となる。
【００３８】
また、カメラベゼル４３が第２位置に位置する場合、及び、第３位置に位置する場合では、図８において点線で示すように、撮像面４１１Ａの短辺は、上記光学軸ＡＸに沿って保持部３２２を見た際の中心軸ＣＡに直交する方向に沿い、当該撮像面４１１Ａの長辺は、当該中心軸ＣＡに沿うこととなる。このため、撮像素子４１１による撮像範囲Ｒは、図８において二点鎖線で示すように、端縁３２２Ｂ側から見て、撮像面４１１Ａの向きと同様に縦長となる。
なお、カメラベゼル４３が第２位置に位置する場合と、第３位置に位置する場合とでは、撮像範囲Ｒの上下（撮像画像の上下）は互いに逆となる。
【００３９】
このようなカメラベゼル４３の回動時に操作される先端部４３２Ａの上面（保持部３２２側の面）には、図７及び図８に示すように、撮像範囲Ｒの向きを示す表示ＤＰが施されている。この表示ＤＰは、本実施形態では、被写体となりうる矩形状の書類を模したものである。
具体的に、カメラベゼル４３が第１位置に位置している場合に、端縁３２２Ｂ側から表示ＤＰを見ると、当該表示ＤＰは横長の書類のように見える。この状態では、撮像範囲Ｒは同方向から見て横長であり、表示ＤＰの向きと撮像範囲Ｒの向きとが一致している。
また、カメラベゼル４３が第２位置又は第３位置に位置している場合に、端縁３２２Ｂ側から表示ＤＰを見ると、当該表示ＤＰは縦長の書類のように見える。これらの状態では、撮像範囲Ｒは同方向から見て縦長であり、表示ＤＰの向きと撮像範囲Ｒの向きとが一致している。
このような表示ＤＰの向きを確認することで、撮像範囲Ｒの向きを把握できる。
【００４０】
更に、表示ＤＰには、それぞれの状態で取り込まれた撮像画像の上方を示す印が含まれている。具体的に、当該矩形状の表示ＤＰにおける隅部に、書類が折曲られたような印が付されている。このため、当該印を確認することで、撮像範囲Ｒ内の被写体を撮像した撮像画像における上方を把握でき、被写体を適切な向きに配置しやすくすることができる。
【００４１】
上記延出部４３２〜４３５のうち、カメラベゼル４３が上記第１位置に位置する際に中心軸ＣＡに直交する方向に沿う延出部４３４，４３５には、図６及び図７に示すように、照明手段５と重なる位置に、入射される光を透過する透過部４３４１，４３５１が形成されている。そして、これら透過部４３４１，４３５１にはマルチレンズ４３６，４３７が設けられている。
一方、カメラベゼル４３が上記第２位置又は上記第３位置に位置する際に中心軸ＣＡに直交する方向に沿う延出部４３２，４３３には、図８に示すように、照明手段５と重なる位置に、入射される光を透過する透過部４３２１，４３３１が形成されている。そして、透過部４３２１，４３３１にはマルチレンズ４３８，４３９が設けられている。
これら透過部４３２１，４３３１，４３４１，４３５１は、延出部４３２〜４３５を光学軸ＡＸに沿って貫通する矩形状の開口部として形成されており、入射された光（例えば、照明手段５の照明光）を透過させる。
【００４２】
また、各マルチレンズ４３６〜４３９は、照明手段５の照明光により照明される撮像範囲Ｒ内の照度を調整する調整手段としての機能を有する。これらのうち、マルチレンズ４３６，４３７は、本発明の第１調整手段に相当し、マルチレンズ４３８，４３９は、本発明の第２調整手段に相当する。すなわち、延出部４３４，４３５は、本発明の第１及び第２延出部に相当し、延出部４３２，４３３は、本発明の第３及び第４延出部に相当する。
【００４３】
これらマルチレンズ４３６，４３７と、マルチレンズ４３８，４３９とでは、それぞれレンズ特性が異なる。すなわち、マルチレンズ４３６，４３７と、マルチレンズ４３８，４３９とは、後述する各小レンズにより照明手段５の照明光を拡散させて出射する機能をそれぞれ有するが、当該照明光を主に出射する方向がそれぞれ異なる。
具体的に、カメラベゼル４３が第１位置に位置する際に照明手段５と重なるマルチレンズ４３６，４３７は、図７に示すように、端縁３２２Ｂ側から見て横長となる撮像範囲Ｒにおける長手方向両端部近傍の位置Ｐ１，Ｐ２に向けて、照明手段５の照明光をそれぞれ出射する機能を有する。
詳述すると、マルチレンズ４３６は、当該撮像範囲Ｒにおける長手方向両端部のうち、近い方の端部側で、かつ、当該端部の中央の位置Ｐ１を中心として照明光を出射する。同様に、マルチレンズ４３７も、当該両端部のうち、近い方の端部側で、かつ、当該端部の中央の位置Ｐ２を中心として照明光を出射する。すなわち、マルチレンズ４３６が位置Ｐ１に向けて出射する際の照明光の方向、及び、マルチレンズ４３７が位置Ｐ２に向けて出射する際の照明光の方向は、本発明の第１方向に相当する。
【００４４】
また、カメラベゼル４３が第２位置に位置する際に照明手段５と重なるマルチレンズ４３８，４３９は、図８に示すように、端縁３２２Ｂ側から見て縦長となる撮像範囲Ｒにおける長手方向両端部近傍の位置Ｐ３，Ｐ４に向けて、照明手段５の照明光をそれぞれ出射する機能を有する。
詳述すると、マルチレンズ４３８は、当該撮像範囲Ｒにおける長手方向両端部のうち、一方の端部側で、かつ、当該端部の中央の位置Ｐ３を中心として照明光を出射する。同様に、マルチレンズ４３９も、当該両端部のうち、他方の端部側で、かつ、当該端部の中央の位置Ｐ４を中心として照明光を出射する。すなわち、マルチレンズ４３８が位置Ｐ３に向けて出射する際の照明光の方向、及び、マルチレンズ４３９が位置Ｐ４に向けて出射する際の照明光の方向は、本発明の第２方向に相当する。
なお、カメラベゼル４３が第３位置に位置する場合は、マルチレンズ４３８，４３９の配置位置が、第２位置に位置する場合と逆になるので、マルチレンズ４３８は、位置Ｐ４を中心として照明光を出射し、マルチレンズ４３９は、位置Ｐ３を中心として照明光を出射する。
【００４５】
このようなマルチレンズ４３６〜４３９により、カメラベゼル４３の位置が第１〜第３位置のいずれの場合でも、撮像範囲Ｒにおける長手方向の両端部近傍の位置を中心として照明手段５の照明光が出射されるので、当該撮像範囲Ｒを略均一に照明できる。
上記マルチレンズ４３６〜４３９は、詳しい図示を省略するが、それぞれ入射される照明光の中心軸に直交する面内に複数の小レンズが配列された構成を有する。そして、当該複数の小レンズには、入射される照明光が、撮像範囲Ｒの向きに応じて設定された位置Ｐ１〜Ｐ４に出射されるために、偏心レンズが採用されている。このため、出射位置を中心として当該照明光を拡散して出射することができる他、小レンズごとに出射位置を調整できる。
【００４６】
なお、撮像範囲Ｒにおいてマルチレンズ４３６，４３７が照明光を出射する位置Ｐ１，Ｐ２は、逆でもよい。また、当該マルチレンズ４３６，４３７により、撮像範囲Ｒにおける長手方向の一端側及び他端側に照明光がそれぞれ出射されるのであれば、撮像範囲Ｒにおける照明光の出射位置は変更可能である。
同様に、撮像範囲Ｒにおいてマルチレンズ４３８，４３９が照明光を出射する位置Ｐ３，Ｐ４は、逆でもよい。また、当該マルチレンズ４３８，４３９により、撮像範囲Ｒにおける長手方向の一端側及び他端側に照明光が出射されるのであれば、撮像範囲Ｒにおける照明光の出射位置は、変更可能である。
更に、マルチレンズ４３６〜４３９が照明光を出射する位置Ｐ１〜Ｐ４は、撮像範囲Ｒにおける短手方向の一端側及び他端側に照明光が出射される構成としてもよい。
【００４７】
以上説明した本実施形態に係る書画カメラ１によれば、以下の効果がある。
延出部４３２の先端部４３２Ａが、保持部３２２の端縁より外側に位置することにより、当該先端部４３２Ａをつまむ等して、カメラベゼル４３を回動させやすくすることができる。従って、撮像素子４１１の撮像範囲Ｒの向きを変更する際に、カメラベゼル４３の回動操作を実施しやすくすることができる。
【００４８】
カメラベゼル４３の延出部４３２〜４３６において、照明手段５と重なる位置には、当該照明手段５の照明光が透過する透過部４３２１，４３３１，４３４１，４３５１が形成されている。これによれば、カメラベゼル４３を第１位置、第２位置及び第３位置のいずれかに回動させた際に、延出部４３２〜４３６により照明光が遮光されることを防止できる。従って、撮像範囲Ｒを適切に照明できる。
【００４９】
各透過部４３２１，４３３１，４３４１，４３５１には、撮像範囲Ｒ内の照度を調整する調整手段として機能するマルチレンズ４３６〜４３９が設けられている。これによれば、撮像範囲Ｒ内の照度を略均一にすることができる。従って、撮像範囲Ｒ内の被写体を適切に照明できる。
【００５０】
照明手段５は、撮像素子４１１を有する撮像手段４を挟んで一対設けられているので、撮像範囲Ｒ内の被写体を２つの方向から照明できるので、スポットが観察されることを抑制できるとともに、被写体を照明する照明光の輝度を高くすることができる。
また、調整手段としてのマルチレンズ４３６〜４３９は、カメラベゼル４３の回動状態に応じて、照明光の出射方向を調整する。これによれば、カメラベゼル４３が回動されて撮像範囲Ｒの向きが変更された場合に、マルチレンズ４３６，４３７又はマルチレンズ４３８，４３９により、当該撮像範囲Ｒの向きに適した方向に照明光を出射できる。従って、撮像範囲Ｒを略均一に照明できる。
【００５１】
カメラベゼル４３が第１位置に位置する場合には、照明光が入射される位置にマルチレンズ４３６，４３７が配置される。そして、当該マルチレンズ４３６，４３７は、入射された照明光を、端縁３２２Ｂ側から見て横長の撮像範囲Ｒにおける長手方向両端の位置Ｐ１，Ｐ２に向けて出射する。一方、カメラベゼル４３が第２位置又は第３位置に位置する場合には、照明光が入射される位置に、第２調整手段としてのマルチレンズ４３８，４３９が配置される。そして、当該マルチレンズ４３８，４３９は、入射された照明光を、端縁３２２Ｂ側から見て縦長の撮像範囲Ｒにおける長手方向両端の位置Ｐ３，Ｐ４に向けて出射する。このように、マルチレンズ４３６，４３７と、マルチレンズ４３８，４３９とは、それぞれ異なる方向に、照明光を出射する。
これによれば、端縁３２２Ｂ側から見て撮像範囲Ｒが横長及び縦長となる場合のそれぞれにおいて当該撮像範囲Ｒ内を略均一に照明できる。従って、上記マルチレンズ４３６〜４３９により、カメラベゼル４３の回動状態、すなわち、撮像範囲Ｒの向きに応じて、当該撮像範囲Ｒ内を良好に照明できる。
【００５２】
カメラベゼル４３は、光学軸ＡＸに沿う方向から見て、４つの延出部４３２〜４３５を有する略十字状に形成されている。これによれば、当該カメラベゼル４３が第１位置に配置されている場合には、照明手段５を覆う位置に延出部４３４，４３５を配置でき、これにより、当該延出部４３４，４３５に設けられたマルチレンズ４３６，４３７を照明光が入射される位置に確実に配置できる。また、カメラベゼル４３が第２位置又は第３位置に配置されている場合には、照明手段５を覆う位置に延出部４３２，４３３を配置でき、これにより、当該延出部４３２，４３３に設けられたマルチレンズ４３８，４３９を照明光が入射される位置に確実に配置できる。このため、カメラベゼル４３の回動位置、すなわち、撮像範囲Ｒの向きに応じて、マルチレンズ４３６〜４３９のうち適切なマルチレンズを、照明光が入射される位置に確実に配置できる。従って、撮像範囲Ｒの向きに応じた照明を確実に実施できる。
また、カメラベゼル４３において操作部として機能する部位は、延出部４３２であるので、当該カメラベゼル４３に操作部を別途設ける必要がない。従って、カメラベゼル４３の構成が複雑化したり、重量が増加したりすることを抑制できる。
【００５３】
カメラベゼル４３に設けられ、撮像範囲Ｒ内の照度を調整する部材が、上記複数の小レンズを有するマルチレンズ４３６〜４３９であるので、入射される照明光を確実に拡散させることができる。従って、撮像範囲Ｒ内の照度を調整しやすくすることができ、照明光の反射光量が局所的に高くなるスポットが撮像範囲Ｒ内に生じることを抑制できる。また、当該複数の小レンズには偏心レンズが含まれているので、マルチレンズ４３６〜４３９を介して撮像範囲Ｒに照射される照明光の出射方向を確実に調整できる。従って、適切な方向に照明光を出射できるので、撮像範囲Ｒ内の照度を一層適切に調整できる。
【００５４】
操作部としての延出部４３２において、保持部３２２から外側に露出した部分の上面には、カメラベゼル４３の回動状態に応じた撮像範囲Ｒの向きを示す表示ＤＰが設けられている。これによれば、当該表示ＤＰを確認することで、撮像素子４１１やカメラベゼル４３を覗き込むことなく、撮像範囲Ｒの向きを容易に把握できる。従って、撮像範囲Ｒの向きの変更操作を適切かつ容易に実施できる。
【００５５】
［第２実施形態］
次に、本発明の第２実施形態について説明する。
本実施形態に係る書画カメラは、前述の書画カメラ１と同様の構成を有するが、カメラベゼルの形状が書画カメラ１と相違する。なお、以下の説明では、既に説明した部分と同一又は略同一である部分については、同一の符号を付して説明を省略する。
【００５６】
図９は、本実施形態に係る書画カメラ１Ａが有するカメラベゼル４４を示す図である。具体的に、図９は、当該書画カメラ１Ａの保持部３２２を下部ケース３２３側から見た図である。
本実施形態に係る書画カメラ１Ａは、カメラベゼル４３に代えてカメラベゼル４４を有する他は、前述の書画カメラ１と同様の構成を有する。
カメラベゼル４４は、本発明の回動部材に相当し、カメラベゼル４３と同様に摺動部材４２（図５参照）に固定され、光学軸ＡＸを中心として回動自在に保持部３２２に支持される。そして、カメラベゼル４４が回動されると、摺動部材４２に固定された回路基板４１が回動され、ひいては、撮像素子４１１が回動されることにより、撮像範囲Ｒの向きが変更される。
このようなカメラベゼル４４は、図９に示すように、摺動部材４２に固定される円筒状部４３１と、当該円筒状部４３１の端縁から外側に延出する延出部４４２とを有する。
【００５７】
延出部４４２は、本発明の操作部に相当し、当該延出部４４２の先端部４４２Ａは、先端部４３２Ａと同様に、保持部３２２の端縁の外側に突出している。このため、先端部４４２Ａをつまんでカメラベゼル４４を回動させることができ、これにより、撮像素子４１１による撮像範囲Ｒを容易に回動させることができる。なお、図示を省略するが、当該先端部４４２Ａにおける保持部３２２側の上面には、前述の表示ＤＰが設けられている。
【００５８】
そして、カメラベゼル４４が第２位置（先端部４４２Ａが端縁３２２Ｃより外側に突出する位置）に位置する場合、又は、第３位置（先端部４４２Ａが端縁３２２Ｄより外側に突出する位置）に位置する状態で、照明手段５と重なる延出部４４２の位置には、略正方形状の開口部であり、入射される照明光を透過する透過部４４２１が形成されている。そして、当該透過部４４２１には、調整手段としてのマルチレンズ４４３が設けられている。
【００５９】
このマルチレンズ４４３は、前述のマルチレンズ４３６〜４３９と同様に、入射される照明光の中心軸に対する直交面内に複数の小レンズが配列された構成を有し、入射される照明光の出射方向を調整して、撮像範囲Ｒ内の照度を調整する。なお、本実施形態では、当該マルチレンズ４４３は、入射される照明手段５の照明光を、撮像範囲Ｒの略中央に向けるとともに、当該照明光を拡散させる機能を有する。
【００６０】
このように、カメラベゼル４４は、延出部４４２をつまんで、第１位置（先端部４４２Ａが端縁３２２Ｂより外側に突出する位置）と、当該第１位置から光学軸ＡＸに沿う回動軸を中心としてＡ１方向に９０°回動させた位置である第２位置、及び、第１位置から当該回動軸を中心としてＡ２方向に９０°回動させた位置である第３位置とに回動可能である。そして、当該カメラベゼル４４が第２位置又は第３位置に位置する場合には、照明手段５を覆う位置にマルチレンズ４４３が位置することとなる。このマルチレンズ４４３により、照明手段５の照明光を所望の出射方向に出射及び拡散することができ、ひいては、撮像範囲Ｒ内の照度を均一化できる。
以上説明した本実施形態に係る書画カメラ１Ａによれば、前述の書画カメラ１と同様の効果を奏することができる。
【００６１】
［第３実施形態］
次に、本発明の第３実施形態について説明する。
本実施形態に係る書画カメラは、前述の書画カメラ１と同様に構成を有するが、カメラベゼルの形状が書画カメラ１と相違する。なお、以下の説明では、既に説明した部分と同一又は略同一である部分については、同一の符号を付して説明を省略する。
【００６２】
図１０は、本実施形態に係る書画カメラ１Ｂが有するカメラベゼル４５を示す図である。具体的に、図１０は、当該書画カメラ１Ｂの保持部３２２を下部ケース３２３側から見た図である。
本実施形態に係る書画カメラ１Ｂは、カメラベゼル４３に代えてカメラベゼル４５を有する他は、前述の書画カメラ１と同様の構成を有する。
カメラベゼル４５は、本発明の回動部材に相当し、カメラベゼル４３と同様に摺動部材４２（図５参照）に固定され、光学軸ＡＸを中心として回動自在に保持部３２２に支持される。そして、カメラベゼル４４が回動されると、摺動部材４２に固定された回路基板４１が回動され、ひいては、撮像素子４１１が回動されることにより、撮像範囲Ｒの向きが変更される。
このようなカメラベゼル４５は、図１０に示すように、摺動部材４２に固定される円筒状部４３１と、当該円筒状部４３１の周囲に設けられた環状部４５１と、環状部４５１に取り付けられる光透過部材４５２と、当該環状部４５１の端縁から外側に延出する延出部４５３とを有する。
【００６３】
環状部４５１は、円筒状部４３１の端縁に沿って環状に形成されている。この環状部４５１には、当該円筒状部４３１の端縁に沿う環状の透過部４５１１が形成されている。この透過部４５１１は、カメラベゼル４５が回動された際に照明手段５に応じた位置の軌跡に応じて形成された開口部であり、入射される光を透過する。そして、当該透過部４５１１には、光透過部材４５２が嵌め込まれる。
【００６４】
光透過部材４５２は、本発明の調整手段に相当し、入射された光を拡散させる光拡散板である。このような光透過部材４５２は、透過部４５１１に応じた環状に形成されており、カメラベゼル４５がどのような位置に回動された場合でも、照明手段５と重なる位置に光透過部材４５２は位置する。このため、当該光透過部材４５２により、入射される照明光を拡散させて、撮像範囲Ｒ内を略均一に照明できる。
【００６５】
延出部４５３は、本発明の操作部に相当し、当該延出部４５３の先端部４５３Ａは、先端部４３２Ａと同様に、保持部３２２の端縁の外側に突出している。このため、先端部４５３Ａをつまんでカメラベゼル４５を回動させることができ、これにより、撮像素子４１１による撮像範囲Ｒを容易に回動させることができる。なお、図示を省略するが、当該先端部４５３Ａにおける保持部３２２側の上面には、前述の表示ＤＰが設けられている。
以上説明した本実施形態に係る書画カメラ１Ｂによれば、前述の書画カメラ１と同様の効果を奏することができる。
【００６６】
［実施形態の変形］
本発明は前述の実施形態に限定されるものではなく、本発明の目的を達成できる範囲での変形、改良等は本発明に含まれるものである。
前記第１実施形態では、カメラベゼル４３は、４つの延出部４３２〜４３５を有する略十字状とし、前記第２及び第３実施形態では、カメラベゼル４４，４５は、１つの延出部４４２，４５３を有する構成としたが、本発明はこれに限らない。すなわち、延出部の数は、適宜設定できる。例えば、延出部は２つでもよい。この場合、光学軸ＡＸに沿う方向から見て、各延出部が互いに直交する方向に延出していてもよく、互いに離間する方向に延出していてもよい。前者の場合では、各延出部に上記調整手段が設けられていれば、カメラベゼルが第１位置に位置する場合と、第２位置又は第３位置に位置する場合とで、それぞれ異なる方向に照明光を出射でき、後者の場合では、第１位置と、第２位置又は第３位置とのいずれかで、それぞれの照明手段５の照明光を所望の方向に出射できる。
また、前記第１及び第２実施形態では、延出部４３２，４４２は、操作部としての機能を有するとしたが、本発明はこれに限らず、操作部として機能する延出部を別途設けてもよい。
【００６７】
前記第１及び第２実施形態では、各延出部４３２〜４３５，４４２の透過部４３２１，４３３１，４３４１，４３５１，４４２１に、調整手段としてのマルチレンズ４３６〜４３９，４４３を設け、前記第３実施形態では、透過部４５１１に、調整手段としての光透過部材４５２を設けたが、本発明はこれに限らない。すなわち、当該透過部のうちのいずれか、或いは、当該透過部における一部の領域に調整手段を設ける構成としてもよく、調整手段を設けずに単なる開口や切欠としてもよい。また、マルチレンズ４３６〜４３９，４４３に代えて、平板状の透光性部材を設けてもよく、光透過部材４５２に代えてマルチレンズを設けてもよい。なお、透光性部材が採用される場合には、光透過部材４５２と同様に光拡散板を採用してもよい。更に、マルチレンズが採用される場合でも、当該マルチレンズを構成する小レンズに偏心レンズを採用しなくてもよい。
【００６８】
前記各実施形態では、照明手段５は、撮像素子４１１を有する撮像手段４を挟んで一対設けられるとしたが、本発明はこれに限らない。すなわち、照明手段５の数は、１つでもよく、３つ以上であってもよい。照明手段５が複数設けられ、透過部に上記調整手段が設けられる場合には、カメラベゼルがいずれかの位置に位置する場合に、複数の照明手段５のうち少なくとも１つの照明手段の照明光が入射される位置に調整手段が配置されるように構成すればよい。
【００６９】
前記各実施形態では、照明手段５は、撮像素子４１１を有する撮像手段４を第２アーム３２の中心軸に対する直交方向に沿って挟む位置に設けられるとしたが、本発明はこれに限らない。すなわち、当該照明手段５の配置位置は、適宜変更可能である。例えば、当該第２アーム３２の中心軸に沿って撮像手段４を挟む位置に設けてもよい。
【００７０】
前記第１実施形態では、カメラベゼル４３が第１位置に位置する場合に照明光が入射されるマルチレンズ４３６，４３７は、端縁３２２Ｂ側から見て横長となる撮像範囲Ｒにおける長手方向の両端の位置Ｐ１，Ｐ２に向けて当該照明光を出射するとした。また、カメラベゼル４３が第２位置又は第３位置に位置する場合に照明光が入射されるマルチレンズ４３８，４３９は、端縁３２２Ｂ側から見て縦長となる撮像範囲Ｒにおける長手方向両端の位置Ｐ３，Ｐ４に向けて当該照明光を出射するとした。しかしながら、本発明はこれに限らない。例えば、各マルチレンズ４３６〜４３９が、長手方向の両端近傍の位置を中心として各照明手段５の照明光が出射されるように構成されていてもよく、撮像範囲Ｒの略中央の位置を中心として各照明手段５の照明光が出射されるように構成されていてもよい。すなわち、照明光が出射される方向及び位置は、適宜変更可能である。
【００７１】
前記各実施形態では、先端部４３２Ａ，４４２Ａ，４５３Ａが端縁３２２Ｂより外側に突出して、当該端縁３２２Ｂ側から見て矩形状の撮像範囲Ｒが横長となる場合のカメラベゼル４３，４４，４５の位置を第１位置とし、端縁３２２Ｃ，３２２Ｄより外側に突出して、端縁３２２Ｂ側から見て撮像範囲Ｒが縦長となる場合のカメラベゼル４３，４４，４５の位置をそれぞれ第２位置及び第３位置としたが、本発明はこれに限らない。すなわち、規定される各位置は、適宜変更可能である。例えば、先端部４３２Ａ，４４２Ａ，４５３Ａが端縁３２２Ｂより外側に突出する状態で、当該端縁３２２Ｂ側から見て矩形状の撮像範囲Ｒが縦長となるように撮像手段４を構成し、当該状態でのカメラベゼル４３，４４，４５の位置を第１位置とし、先端部４３２Ａ，４４２Ａ，４５３Ａが端縁３２２Ｃ，３２２Ｄより外側に突出する状態で、端縁３２２Ｂ側から見て撮像範囲Ｒが横長となるように撮像手段４を構成し、当該状態でのカメラベゼル４３，４４，４５の位置をそれぞれ第２位置及び第３位置としてもよい。
【００７２】
前記各実施形態では、先端部４３２Ａ，４４２Ａ，４５３Ａには、撮像範囲Ｒの向きを示す表示ＤＰが施されているとしたが、本発明はこれに限らない。すなわち、当該表示ＤＰは無くてもよく、表示の内容も適宜変更可能である。更に、カメラベゼル４３，４４，４５の回動状態を検出して、検出された回動状態に基づいて、撮像装置としての書画カメラに設けられたディスプレイに表示したり、或いは、発光素子を点灯させたりする等して、撮像範囲Ｒの向きを報知するように構成してもよい。
【００７３】
前記各実施形態では、撮像素子４１１及びカメラベゼル４３，４４，４５等を有する撮像手段４は、当該撮像素子４１１の光学軸ＡＸを中心として回動自在に保持部３２２に支持されるとしたが、本発明はこれに限らない。すなわち、撮像素子４１１の光学軸ＡＸと、カメラベゼルの回動軸とが一致していなくてもよい。なお、これら各軸が互いに平行であることが好ましい。
【００７４】
前記各実施形態では、被写体として書類を例示したが、本発明はこれに限らない。すなわち、撮像装置としての書画カメラ１，１Ａ，１Ｂは、所望の被写体を撮像可能である。
前記各実施形態では、支持部３は、第１アーム３１及び第２アーム３２を有する構成としたが、本発明はこれに限らない。すなわち、変更後の姿勢を維持可能な支持部材を採用してもよい。
【産業上の利用可能性】
【００７５】
本発明は、撮影装置に利用でき、例えば、撮像素子を有する撮像手段が回動自在に支持された撮像装置に好適に利用できる。
【符号の説明】
【００７６】
１，１Ａ，１Ｂ…書画カメラ（撮像装置）、５…照明手段、４３，４４，４５…カメラベゼル（回動部材）、３２２…保持部（支持部材）、４１１…撮像素子、４３２…延出部（操作部、第３又は第４延出部）、４３３…延出部（第３又は第４延出部）、４３４，４３５…延出部（第１又は第２延出部）、４３６，４３７…マルチレンズ（調整手段、第１調整手段）、４３８，４３９…マルチレンズ（調整手段、第２調整手段）、４４２，４５３…延出部（操作部）、４４３…マルチレンズ（調整手段）、４５２…光透過部材（調整手段）、４３２１，４３３１，４３４１，４３５１，４４２１，４５１１…透過部、ＡＸ…光学軸、ＤＰ…表示、Ｒ…撮像範囲。
【図１】
2014187644.tif 000003
【図２】
2014187644.tif 000004
【図３】
2014187644.tif 000005
【図４】
2014187644.tif 000006
【図５】
2014187644.tif 000007
【図６】
2014187644.tif 000008
【図７】
2014187644.tif 000009
【図８】
2014187644.tif 000010
【図９】
2014187644.tif 000011
【図１０】
2014187644.tif 000012